(57)【要約】【課題】  把手付き蓋の開閉作業能率を向上させる。【解決手段】  蓋本体１上面の凹部に格納される格納位置Ｌｄと蓋本体１上面から上方へ張出す使用位置Ｌｕとの間で任意に移動操作可能な把手Ｌを有する蓋の固定構造において、設置面Ｆの開口Ｏ周辺部に一体的に設けられて前記開口Ｏに臨む被係止部と、その被係止部に係合し得るロック位置Ａｆと該被係止部から離脱するアンロック位置Ａｒとの間を移動可能として前記蓋本体１に設けられる係止片Ａと、前記把手Ｌが前記格納位置Ｌｄにあるときに前記係止片Ａが前記ロック位置Ａｆとなり、且つ同把手Ｌが前記使用位置Ｌｕにあるときに前記係止片Ａが前記アンロック位置Ａｒとなるように該係止片Ａを前記把手Ｌに連動、連結させる連動連結機構Ｉとを備える。【選択図】    図３
2009102822.tif 000002
【特許請求の範囲】
【請求項１】
設置面（Ｆ）に設けた開口（Ｏ）を開閉し得る蓋本体（１）と、その蓋本体（１）の持ち上げ用把手（Ｌ）とを備え、
前記蓋本体（１）は、前記設置面（Ｆ）の開口（Ｏ）周辺部に設けた蓋受け部（Ｋａ）に係合、載置可能であり、
前記把手（Ｌ）は、これを蓋本体（１）の把手収納部（３）に格納される格納位置（Ｌｄ）と蓋本体（１）上面から上方へ張出す使用位置（Ｌｕ）との間で移動操作し得るように前記蓋本体（１）に取付けられてなる蓋の固定構造において、
前記設置面（Ｆ）の開口（Ｏ）周辺部に一体的に設けられて前記開口（Ｏ）に臨む被係止部（Ｋｂｓ）と、
その被係止部（Ｋｂｓ）に係合し得るロック位置（Ａｆ）と該被係止部（Ｋｂｓ）から離脱するアンロック位置（Ａｒ）との間を移動可能として前記蓋本体（１）に設けられる係止片（Ａ）と、
前記把手（Ｌ）が前記格納位置（Ｌｄ）にあるときに前記係止片（Ａ）が前記ロック位置（Ａｆ）となり、且つ同把手（Ｌ）が前記使用位置（Ｌｕ）にあるときに前記係止片（Ａ）が前記アンロック位置（Ａｒ）となるように該係止片（Ａ）を前記把手（Ｌ）に連動、連結させる連動連結機構（Ｉ）とを備えたことを特徴とする、蓋の固定構造。
【請求項２】
前記被係止部（Ｋｂｓ）は、前記設置面（Ｆ）の開口（Ｏ）周縁部より開口（Ｏ）側に鍔状に突き出していると共に、その開口（Ｏ）周縁部に沿って直線状に延びていることを特徴とする、請求項１に記載の蓋の固定構造。
【請求項３】
前記被係止部（Ｋｂｓ）及び蓋受け部（Ｋａ）は、前記設置面（Ｆ）の開口（Ｏ）周縁部を縁取る縁枠（Ｋ）に押出成形又は引抜成形により一体成形されることを特徴とする、請求項２に記載の蓋の固定構造。
【請求項４】
前記把手（Ｌ）は、前記格納位置（Ｌｄ）と使用位置（Ｌｕ）との間を起伏回動し得るように前記蓋本体（１）に軸支され、
前記連動連結機構（Ｉ）は、前記把手（Ｌ）と前記係止片（Ａ）との間を連動、連結するリンク機構で構成されることを特徴とする、請求項１〜３の何れかに記載の蓋の固定構造。
【発明の詳細な説明】
【技術分野】
【０００１】
本発明は、蓋、特に設置面に設けた開口を開閉し得る蓋本体と、その蓋本体の持ち上げ用把手とを備える蓋の固定構造に関する。
【背景技術】
【０００２】
上記蓋として、例えば蓋本体を、設置面の開口周辺部に設けた蓋受け部に係合、載置可能とし、且つその蓋本体に把手を、蓋本体の把手収納部に格納される格納位置と蓋本体上面から上方へ張出す使用位置との間で移動操作し得るように取付けた構造のものが知られている。
【０００３】
また、蓋本体をアルミ材等の軽量な材料で形成した場合に、蓋が風や外力の影響で簡単にずれ動いたり或いは飛んだりしないように、例えば設置面と蓋本体間を跨ぐように配置されて設置面に着脱可能に固着される蓋押え部材を用いて蓋本体を上から押さえ、蓋本体を閉じ位置に固定するものが知られている（例えば下記の特許文献１を参照）。
【特許文献１】特開平９−２４２０９９号公報
【発明の開示】
【発明が解決しようとする課題】
【０００４】
しかしながら従来構造では、設置面と蓋本体間を跨ぐ上記蓋押え部材をボルト等の締結具で開口近傍の設置面に締着する必要があり、その蓋押さえ部材の脱着操作が面倒で作業能率が悪く、また締着が不完全であると蓋押さえ部材が外れ又は緩んで蓋の固定が不完全となる等の問題があった。
【０００５】
尚、前記特許文献１のものでは、設置面に設けた長い開口を、その長手方向に沿って縦列配置した複数の蓋で開閉する場合において、一部の蓋だけを蓋押さえ部材で固定し、該一部の蓋と他の蓋との間を連結具で繋ぐことにより蓋押さえ部材の設置個数を削減できるように工夫されているが、この場合には、蓋押さえ部材の脱着作業が多少軽減されても、連結具による蓋間の連脱作業を余分に行う必要があり、全体として作業能率を高めるには至らないものであった。
【０００６】
本発明は、斯かる実情に鑑みてなされたもので、従来構造の上記問題を簡単な構成で解決できるようにした、蓋の固定構造を提供することを目的とする。
【課題を解決するための手段】
【０００７】
上記目的を達成するために請求項１の発明は、設置面に設けた開口を開閉し得る蓋本体と、その蓋本体の持ち上げ用把手とを備え、前記蓋本体は、前記設置面の開口周辺部に設けた蓋受け部に係合、載置可能であり、前記把手は、これを蓋本体の把手収納部に格納される格納位置と蓋本体上面から上方へ張出す使用位置との間で任意に移動操作し得るように前記蓋本体に取付けられてなる蓋の固定構造において、前記設置面の開口周辺部に一体的に設けられて前記開口に臨む被係止部と、その被係止部に係合し得るロック位置と該被係止部から離脱するアンロック位置との間を移動可能として前記蓋本体に設けられる係止片と、前記把手が前記格納位置にあるときに前記係止片が前記ロック位置となり、且つ同把手が前記使用位置にあるときに前記係止片が前記アンロック位置となるように該係止片を前記把手に連動、連結させる連動連結機構とを備えたことを特徴とする。
【０００８】
また請求項２の発明は、請求項１の特徴に加えて、前記被係止部は、前記設置面の開口周縁部より開口側に鍔状に突き出していると共に、その開口周縁部に沿って直線状に延びていることを特徴とする。
【０００９】
また請求項３の発明は、請求項２の特徴に加えて、前記被係止部及び蓋受け部は、前記設置面の開口周縁部を縁取る縁枠に押出成形又は引抜成形により一体成形されることを特徴とする。
【００１０】
また請求項４の発明は、請求項１から３の何れかの特徴に加えて、前記把手は、前記格納位置と使用位置との間を起伏回動し得るように前記蓋本体に軸支され、前記連動連結機構は、前記把手と前記係止片との間を連動、連結するリンク機構で構成されることを特徴とする。
【発明の効果】
【００１１】
以上のように本発明によれば、蓋本体の把手収納部に格納される格納位置と蓋本体上面から上方へ張出す使用位置との間で任意に移動操作可能な把手を有する蓋の固定構造において、設置面の開口周辺部に一体的に設けられて開口に臨む被係止部と、その被係止部に係合し得るロック位置と被係止部から離脱するアンロック位置との間を移動可能として蓋本体に設けられる係止片と、把手が格納位置にあるときに係止片がロック位置となり、且つ同把手が使用位置にあるときに係止片がアンロック位置となるように該係止片を把手に連動、連結させる連動連結機構とを備えるので、蓋を開けるときは、把手を手で使用位置まで起こすのに連動して係止片をアンロック位置まで移動させて、被係止部との係合（即ち蓋のロック状態）を自動解除することができ、これにより、蓋の開放操作を迅速容易に行うことができる。また蓋を閉めたときは、把手を格納位置まで戻すのに連動して係止片をロック位置まで復帰移動させて、被係止部と自動的に係合させることができるため、蓋に対し特別にロック操作しなくても蓋を閉じ位置に的確に固定することができ、蓋の開閉作業能率の向上に大いに寄与することができる。しかも係止片がロック・アンロック状態の何れに在るかの確認を、把手の操作位置の目視で容易に行うことができる。
【００１２】
また特に請求項２の発明によれば、前記被係止部は、設置面の開口周縁部より開口側に鍔状に突き出していると共に、その開口周縁部に沿って直線状に延びているので、製作誤差や蓋の設計変更等に因り、蓋本体における係止片の取付位置が開口周縁部に沿う方向で変動を生じても、係止片をそのロック位置では被係止部に常に的確に係合させることができる。
【００１３】
また特に請求項３の発明によれば、前記被係止部及び蓋受け部は、設置面の開口周縁部を縁取る縁枠に押出成形又は引抜成形により一体成形されるので、押出成形品又は引抜成形品である縁枠に蓋受け部は元より、被係止部をも簡単に且つ精度よく設置可能であると共に部品点数の削減が図られ、コスト低減に寄与することができる。
【００１４】
また特に請求項４の発明によれば、前記把手は、格納位置と使用位置との間を起伏回動し得るように蓋本体に軸支され、前記連動連結機構は、把手と係止片との間を連動、連結するリンク機構で構成されるので、把手と係止片との間をリンク機構を介して簡単な構造でスムーズに連動、連結することができる。
【発明を実施するための最良の形態】
【００１５】
本発明の実施の形態を、添付図面に例示した本発明の実施例に基づいて以下に具体的に説明する。
【００１６】
添付図面において、図面は本発明の第１実施例を示すものであって、図１は、ピット装置の要部平面図、図２は、図１の２矢視部の一部破断拡大平面図、図３は、図２の３−３線断面図、図４は、図３の４−４線拡大断面図、図５は、把手とロックバーの連動関係を示す、図３対応の作用図であって、（Ａ）はロック解除途中を、また（Ｂ）はロック解除時をそれぞれ示す。また図６は、本発明の第２実施例を示す図３対応断面図である。
【００１７】
先ず、図１〜図５を参照して第１実施例を説明する。設置面としての床面Ｆには、種々の配線、例えば電力ケーブルや通信ケーブルを収納するための配線用ピットＰが凹設されており、そのピットＰの床面Ｆへの開口Ｏは、個々に把手Ｌを備えた同一形態・同一構造の複数の蓋Ｔで開閉可能に閉じられる。
【００１８】
前記ピットＰは、ケーブルの配線方向に沿って長く形成されており、また前記蓋Ｔは、扁平な矩形状の板状に各々形成されていて、ピットＰの開口Ｏの長手方向に沿って縦列配置される。
【００１９】
その各蓋Ｔは、アルミ材で押出成形又は引抜成形された中空の蓋本体１を主要部とするものであり、その蓋本体１の、押出成形又は引抜成形方向の両端部には、その両端開口（即ち小口）を塞ぐ横断面コ字状の縁材２が固着される。
【００２０】
床面Ｆのピット開口Ｏ周縁部には、その周縁部に沿って直線状に延びてその周縁部を縁取る縁枠Ｋが固設される。この縁枠Ｋは、蓋受け部Ｋａとなる水平壁部と、それから鉛直に起立する鉛直壁部Ｋｂとを有して横断面Ｌ字状に形成されるものであって、それは、前記蓋本体１や縁材２と同様、アルミ材で押出成形又は引抜成形され、その成形時に同時に前記水平壁部（蓋受け部Ｋａ）及び前記鉛直壁部Ｋｂが一体成形される。尚、図３において、符号１１は、床施工前に縁枠Ｋを図示しないコンクリートスラブ上に位置決め、支持するための支持部材である。
【００２１】
前記蓋受け部Ｋａは、それの平坦な上面に直接に又は弾性シートＳを介して蓋本体１の小口側の両端部下面を係合、載置させるようになっている。
【００２２】
また前記鉛直壁部Ｋｂの上部には、内向きの（即ち開口Ｏ側にフランジ状に突き出す）顎部Ｋｂｓが一体に形成されており、その顎部Ｋｂｓは、後述するロックバーＡと協働してロック機構を構成する被係止部として機能する。
【００２３】
前記把手Ｌは、図示例ではＵ字状に形成された棒材より構成され、蓋本体１の、縁枠Ｋ寄りの両端部にそれぞれ設けられる。即ち、蓋本体１の両端部上面には、把手収納枠３が収まる開口４が形成され、その開口４の周縁部に把手収納枠３の外周フランジ部がビス等で固着される。
【００２４】
把手収納枠３は、その平坦な上壁に、把手Ｌを受容する平面視Ｕ字状の溝部３ａと、その溝部の中央部一側に臨む指差し込み用凹所３ｂとが凹設され、その凹所３ｂに指を差し入れて溝部３ａ内の把手Ｌを容易に把持できるようになっている。
【００２５】
把手３の左右の基端部は水平な支軸５に固着されて支軸５と一体に回動可能となっており、その支軸５が把手収納枠３の側壁に回動自在に貫通、支持される。これにより、把手Ｌは、把手収納枠３（溝部３ａ）に格納される格納位置Ｌｄ（図３を参照）と、蓋本体１上面から上方へ張出す使用位置Ｌｕ（図５の（Ｂ）を参照）との間で、前記支軸３の軸線回りに任意に回動操作可能である。尚、把手Ｌと把手収納枠３間には、必要に応じて、把手Ｌを格納位置Ｌｄ側に常時付勢するスプリング等の付勢手段（図示せず）を設けることも可能である。
【００２６】
また前記縁材２には、把手収納枠３の一側で、案内支持孔２ｈが形成されており、この案内支持孔２ｈには、これを僅かな遊隙を存して貫通する係止片としてのロックバーＡが摺動可能に且つ多少の傾動を可能として挿通、支持される。その案内支持孔２ｈの内面には、ロックバーＡの摺動及び傾動を無理なくスムーズに行わせるべく、摩擦抵抗軽減用の合成樹脂製ブッシュ８が嵌着される。
【００２７】
このロックバーＡの外端部は、前記被係止部としての顎部Ｋｂｓの下面に係合可能である。そして、ロックバーＡは、案内支持孔２ｈにガイドされて、前記顎部ｂｓに係合するロック位置Ａｆ（図３を参照）と、同顎部Ｋｂｓから離脱するアンロック位置Ａｒ（図５の（Ｂ）を参照）との間を往復移動可能である。
【００２８】
またロックバーＡの内端部は、前記支軸５の中間部に固設したリンクアーム６に連結ピン７を介して相対回動可能に枢支連結され、これにより、把手Ｌが前記格納位置ＬｄにあるときにロックバーＡが前記ロック位置Ａｆとなり、且つ同把手Ｌが前記使用位置ＬｕにあるときにロックバーＡが前記アンロック位置Ａｒとなるように該ロックバーＡが把手Ｌに連動、連結される。而して、リンクアーム６及び連結ピン７は、互いに協働してロックバーＡを把手Ｌに連動、連結させる本発明の連動連結機構Ｉを構成している。
【００２９】
次に前記第１実施例の作用について説明する。図１〜３に示すように蓋Ｔが、ピット開口Ｏを閉じる閉じ位置にある状態では、把手Ｌは格納位置Ｌｄに収まっており、このときロックバーＡがロック位置Ａｆに在って、その外端部が縁枠Ｋの顎部Ｋｂｓにその下側で係合したロック状態となっており、これにより、蓋Ｔに風や外力等が作用しても蓋Ｔが妄りに開かないようになっている。
【００３０】
この状態から蓋Ｔを開けるときは、図３，４鎖線および図５実線に示すように把手Ｌを手で使用位置Ｌｕまで起こして蓋Ｔを上方に持ち上げるのであるが、このとき把手Ｌにリンク機構Ｉを介してロックバーＡが連動してアンロック位置Ａｒまで後退移動する。これにより、前記ロックバーＡと顎部Ｋｂｓとの係合（即ち蓋Ｔのロック状態）が自動解除されるため、蓋Ｔの開放操作を、ロック解除操作を特別に行うことなく容易に行うことができる。
【００３１】
次いで蓋Ｔを元の位置に戻してピット開口Ｏを閉めたときは、把手Ｌを格納位置Ｌｄまで回動させるが、その回動に連動してロックバーＡをロック位置Ａｆまで移動させて前記顎部Ｋｂｓと自動的に係合させることができるため、閉じた後の蓋Ｔに対し特別にロック操作しなくても蓋Ｔを閉じ位置に的確に固定することができる。かくして、蓋Ｔの開閉作業能率が従来例と比べて大幅に向上する。しかもロックバーＡがロック・アンロック状態の何れに在るかの確認を、把手Ｌの操作位置の目視で（即ち把手Ｌが何れの操作位置に在るかを見るだけで）容易に行うことができる。
【００３２】
また図示例においては、被係止部としての顎部Ｋｂｓが、ピット開口Ｏの周縁部に沿って直線状に延びているので、製作誤差や蓋Ｔの設計変更等に因り、蓋本体１におけるロックバーＡの取付位置が開口Ｏの周縁部に沿う方向で変動を生じても、ロックバーＡは顎部Ｋｂｓに常に的確に係合可能となる。
【００３３】
また前記顎部Ｋｂｓを含む鉛直壁部Ｋｂ並びに蓋受け部Ｋａは、ピット開口Ｏの周縁部を縁取る縁枠Ｋに押出成形又は引抜成形により一体成形されるため、押出成形品又は引抜成形品である縁枠Ｋに蓋受け部Ｋａは元より、顎部Ｋｂｓをも簡単に且つ精度よく設置可能であると共に部品点数の削減が図られ、コスト低減が図られる。
【００３４】
また蓋本体１に軸支されて起伏回動する把手Ｌと、ロックバーＡとの間がリンク機構Ｉで連動、連結されるため、その連動、連結が極めて簡単な構造でスムーズになされる。
【００３５】
また図６には、本発明の第２実施例が示される。この実施例では、被係止部としての顎部Ｋｂｓや蓋受け部Ｋａを一体成形した縁枠Ｋを、ピット開口Ｏの周縁部（即ち設置面としての床面Ｆより下側）に配設したものを示したが、本発明では、その縁枠Ｋを設置面Ｆ上でピット開口Ｏの周辺部にアンカーボルト１２及びナット１３等の固着具で固定している。この場合、蓋Ｔは、設置面Ｆよりも多少、上側に配置されるが、基本的に第１実施例と同様の作用効果が期待できる。
【００３６】
以上、本発明の実施例について説明したが、本発明はそれら実施例に限定されることなく、本発明の範囲内で種々の実施例が可能である。
【００３７】
例えば、前記実施例では、蓋本体１を中空の枠体より構成したものを示したが、本発明では、蓋本体を中実体より構成してもよい。
【００３８】
また前記実施例では、蓋本体１及び縁材２をアルミ材より形成したものを示したが、本発明では、アルミ材以外の金属材、又はＦＲＰ等の合成樹脂材で形成してもよいし、或いはそれら材料を組み合わせて形成してもよい。
【００３９】
また前記実施例では、顎部Ｋｂｓ（被係止部）や蓋受け部Ｋａを、ピットＰの開口周縁部を縁取る縁枠Ｋと一体成形したものを示したが、本発明では、これらＫｂｓ，Ｋａを縁枠Ｋと別々に製作して、後付けで縁枠Ｋに固着するようにしてもよい。
【００４０】
また前記実施例では、本発明を配線ピット用蓋の固定構造に適用したものを示したが、本発明では蓋の用途、設置部位は実施例に限定されず、少なくとも把手で持ち上げ可能な把手付き蓋であればよい。例えば、床下収納庫用の蓋や、屋外に設置される各種蓋、例えば排水ピット用蓋の固定構造としても実施可能である。また前記実施例では、ピットの開口Ｏを複数の蓋Ｔで開閉するものを示したが、本発明では、単一の蓋で開口Ｏを開閉するようにしてもよい。
【００４１】
また前記実施例では、１個の蓋Ｔに把手Ｌを２個設置したものを示したが、本発明において、把手の設置数は適宜増減可能である。
【００４２】
また前記実施例では、把手Ｌを蓋本体１に使用位置Ｌｕと格納位置Ｌｄ間で回動可能に軸支したものを示したが、本発明では、把手を蓋本体に使用位置と格納位置間で摺動可能に取付けるようにしてもよい。尚、この場合は、把手の支持形態に応じて連動連結機構Ｉの改造を必要とする。
【００４３】
また前記実施例では、蓋本体１（把手収納枠３）に係止片としてのロックバーＡを、被係止部Ｋｂｓに係合し得るロック位置Ａｆと被係止部Ｋｂｓから離脱するアンロック位置Ａｒとの間を摺動可能に設けたものを示したが、本発明では、係止片をロック位置とアンロック位置間で回動可能に軸支するようにしてもよい。尚、この場合も、ロックバーの支持形態に応じて連動連結機構Ｉの改造を必要とする。
【図面の簡単な説明】
【００４４】
【図１】本発明の第１実施例を実施したピット装置の要部平面図
【図２】図１の２矢視部の一部破断拡大平面図
【図３】図２の３−３線断面図
【図４】図３の４−４線拡大断面図
【図５】把手とロックバーの連動関係を示す、図３対応の作用図であって、（Ａ）はロック解除途中を、また（Ｂ）はロック解除時をそれぞれ示す
【図６】本発明の第２実施例を示す図３対応断面図
【符号の説明】
【００４５】
Ａ・・・・係止片としてのロックバー
Ａｆ・・・ロック位置
Ａｒ・・・アンロック位置
Ｆ・・・・設置面としての床面
Ｉ・・・・連動連結機構としてのリンク機構
Ｋ・・・・縁枠
Ｋａ・・・蓋受け部
Ｋｂｓ・・被係止部としての顎部
Ｌ・・・・持ち上げ用把手
Ｌｄ・・・格納位置
Ｌｕ・・・使用位置
Ｏ・・・・開口
１・・・・蓋本体
３・・・・把手収納部としての把手収納枠
【図１】
2009102822.tif 000003
【図２】
2009102822.tif 000004
【図３】
2009102822.tif 000005
【図４】
2009102822.tif 000006
【図５】
2009102822.tif 000007
【図６】
2009102822.tif 000008